(57)【特許請求の範囲】
【請求項１】
間隔を置いて平行に配置される建物梁の下方に、吊りボルトを介して長尺状の吊り用鋼材を前記建物梁に対して垂直方向に水平配置するとともに、前記吊り用鋼材に、一体成形された天井パネル吊り用レールの上端を直接固定し、この天井パネル吊り用レールに天井パネルを支持してなり、
前記天井パネル吊り用レールに、レール本体の両側から水平方向に突出する突出部を一体形成し、この突出部を、前記天井パネルの側面に形成される凹部に、シール材を介して挿入して、前記天井パネルを支持してなることを特徴とするクリーンルーム用天井構造。
【請求項２】
請求項１記載のクリーンルーム用天井構造において、
前記天井パネル吊り用レールの下端には、前記天井パネルの下面に沿って位置する吊り部が形成され、前記吊り部に吊りボルトの頭部をナットにより連結してなることを特徴とするクリーンルーム用天井構造。
【請求項３】
請求項１または請求項２記載のクリーンルーム用天井構造において、
前記天井パネル吊り用レールには、前記レール本体の前記天井パネルの下面位置の両側から下方に向けて突出する傾斜部が形成され、この傾斜部と前記天井パネルの下面との間にシール材が充填されていることを特徴とするクリーンルーム用天井構造。
【発明の詳細な説明】
【０００１】
【発明の属する技術分野】
本発明は、クリーンルーム用の天井パネルを支持するためのクリーンルーム用天井構造に関する。
【０００２】
【従来の技術】
一般に、クリーンルームの天井は、建物梁から吊り用鋼材を介して吊られる二重天井となっている。
そして、この二重天井内はチャンバとして作用するため、高いシール性が要求されている。
【０００３】
図４は、従来のクリーンルーム用天井構造を示すもので、符号１は、間隔を置いて平行に水平配置される建物梁を示している。
この建物梁１の上面には、長尺状の吊り用鋼材３が、建物梁１に対して垂直方向に載置固定されている。
吊り用鋼材３の下方には、吊りボルト５を介して長尺状の天井パネル吊り用レール７が水平配置されている。
【０００４】
天井パネル吊り用レール７の下端に沿って両側に突出する突出部７ａが形成され、この突出部７ａの上面に天井パネル９の端部が載置されている。
天井パネル吊り用レール７の下方には、吊りボルト１１を介してフィルタ受枠１３が配置され、このフィルタ受枠１３には、ＨＥＰＡフィルタ１５が支持されている。
【０００５】
【発明が解決しようとする課題】
しかしながら、このような従来のクリーンルーム用天井構造では、天井パネル吊り用レール７が、例えば、アルミニウムからなり比較的剛性が低いため、比較的重量のある天井パネル９を、天井パネル吊り用レール７に曲げ等の変形を与えることなく確実に支持するためには、天井パネル吊り用レール７を吊り用鋼材３に吊るための吊りボルト５の間隔を狭める必要があり、吊りボルト５の本数が増大するという問題があった。
【０００６】
本発明は、かかる従来の問題点を解決するためになされたもので、天井パネル吊り用レールに曲げ等の変形を与えることなく天井パネル吊り用レールを強固，確実に支持することができるクリーンルーム用天井構造を提供することを目的とする。
【０００７】
【課題を解決するための手段】
請求項１のクリーンルーム用天井構造は、間隔を置いて平行に配置される建物梁の下方に、吊りボルトを介して長尺状の吊り用鋼材を前記建物梁に対して垂直方向に水平配置するとともに、前記吊り用鋼材に、一体成形された天井パネル吊り用レールの上端を直接固定し、この天井パネル吊り用レールに天井パネルを支持してなり、前記天井パネル吊り用レールに、レール本体の両側から水平方向に突出する突出部を一体形成し、この突出部を、前記天井パネルの側面に形成される凹部に、シール材を介して挿入して、前記天井パネルを支持してなることを特徴とする。
【０００８】
請求項２のクリーンルーム用天井構造は、請求項１記載のクリーンルーム用天井構造において、前記天井パネル吊り用レールの下端には、前記天井パネルの下面に沿って位置する吊り部が形成され、前記吊り部に吊りボルトの頭部をナットにより連結してなることを特徴とする。
請求項３のクリーンルーム用天井構造は、請求項１または請求項２記載のクリーンルーム用天井構造において、前記天井パネル吊り用レールには、前記レール本体の前記天井パネルの下面位置の両側から下方に向けて突出する傾斜部が形成され、この傾斜部と前記天井パネルの下面との間にシール材が充填されていることを特徴とする。
【０００９】
（作用）
請求項１のクリーンルーム用天井構造では、建物梁の下方に、吊りボルトを介して長尺状の吊り用鋼材が配置され、この吊り用鋼材に天井パネル吊り用レールの上端が直接固定される。
また、天井パネル吊り用レールのレール本体から突出する突出部が、天井パネルの側面に形成される凹部に、シール材を介して挿入され、天井パネルが天井パネル吊り用レールに支持される。
請求項２のクリーンルーム用天井構造では、天井パネル吊り用レールの下端に、天井パネルの下面に沿って位置する吊り部が形成され、この吊り部に吊りボルトの頭部がナットにより連結される。
【００１０】
請求項３のクリーンルーム用天井構造では、天井パネル吊り用レールのレール本体に形成される傾斜部と天井パネルの下面との間にシール材が充填される。
【００１１】
【発明の実施の形態】
以下、本発明の実施形態を図面を用いて詳細に説明する。
【００１２】
図１および図２は、本発明のクリーンルーム用天井構造の一実施形態を示しており、図において、符号２１は、間隔を置いて平行に配置される建物梁を示している。
【００１３】
この建物梁２１の下方には、鉄鋼からなる長尺状の吊り用鋼材２３が、建物梁２１に対して垂直方向に水平配置されている。
この吊り用鋼材２３は、吊りボルト２５および取付部材２７を介して、建物梁２１に固定されている。
そして、吊り用鋼材２３には、例えば、アルミニウムの押し出し成形により製造された天井パネル吊り用レール２９の上端が直接固定されている。
【００１４】
この実施形態では、天井パネル吊り用レール２９のレール本体２９ａの上部が、長手方向に所定間隔を置いて、ボルト３１とナット３３により吊り用鋼材２３に連結されている。
レール本体２９ａの上下方向の中央部には、図３に示すように、レール本体２９ａの両面から水平方向に突出する突出部２９ｂが一体形成されている。
【００１５】
この突出部２９ｂは、天井パネル３５の側面に形成される凹部３５ａに、シール材３７を介して挿入されている。
レール本体２９ａの天井パネル３５の下面位置に沿って吊り部２９ｃが一体形成されている。
この吊り部２９ｃには、中央から両側に、かつ、下方に向けて突出する傾斜部２９ｄが形成されている。
【００１６】
そして、この傾斜部２９ｄの上面と天井パネル３５の下面との間にシール材３９が充填されている。
吊り部２９ｃの下部には、図１に示すように、吊りボルト４１の頭部４１ａが、金具４３を介してナット４５により連結されている。
吊りボルト４１の下部には、ターンバックル４７を介して吊りボルト４９が連結されている。
【００１７】
この吊りボルト４９の下部には、フィルタ受枠５１の支持部５１ａが連結されている。
フィルタ受枠５１ａには、ＨＥＰＡフィルタ，ＵＬＰＡフィルタ等のフィルタ５３の端部の突起部５３ａが、シール材５５を介して支持されている。
以上のように構成されたクリーンルーム用天井構造では、建物梁２１の下方に、吊りボルト２５を介して長尺状の吊り用鋼材２３を配置し、この吊り用鋼材２３に天井パネル吊り用レール２９の上端をボルト３１とナット３３により直接固定したので、天井パネル吊り用レール２９に曲げ等の変形を与えることなく天井パネル吊り用レール２９を強固，確実に支持することができる。
【００１８】
なお、上述したクリーンルーム用天井構造では、建物梁２１の下方に、吊りボルト２５を介して長尺状の吊り用鋼材２３を支持する必要があるが、吊り用鋼材２３は、剛性が高いため、曲がり等の変形が少なく、従って、建物梁２１に対応する少ない本数の吊りボルト２５により確実に支持することができる。
また、上述したクリーンルーム用天井構造では、天井パネル吊り用レール２９のレール本体２９ａから突出する突出部２９ｂを、天井パネル３５の側面に形成される凹部３５ａに、シール材３７を介して挿入したので、高いシール性を得ながら天井パネル３５を天井パネル吊り用レール２９に容易，確実に支持することができる。
【００１９】
そして、天井パネル３５の側面に形成される凹部３５ａに、予めシール材３７を充填した後に、この凹部３５ａに突出部２９ｂが挿入されるため、後にシール材を塗布する場合に比較してシール性を大幅に向上することができる。
すなわち、図４に示した従来のクリーンルーム用天井構造では、天井パネル吊り用レールに天井パネルを取り付けた後に、四隅にシール材を塗布していたため、作業性が悪く、かつ、シール材の確実な塗布が困難であったが、このような問題を確実に解消することができる。
【００２０】
さらに、上述したクリーンルーム用天井構造では、天井パネル吊り用レール２９のレール本体２９ａに形成される傾斜部２９ｄと天井パネル３５の下面との間にシール材３９を充填したので、容易，確実にシール性を向上することができる。
【００２１】
なお、上述した実施形態では、天井パネル吊り用レール２９をボルト３１とナット３３により吊り用鋼材２３に固定した例について説明したが、本発明はかかる実施形態に限定されるものではなく、例えば、特殊な締結金具等により固定するようにしても良い。
また、上述した実施形態では、天井パネル吊り用レール２９にフィルタ受枠５１を吊りボルト４１，４９を介して支持した例について説明したが、本発明はかかる実施形態に限定されるものではなく、例えば、天井パネル吊り用レールにブドウ棚用の天井フレームを支持するように構成しても良い。
【００２２】
【発明の効果】
以上述べたように、請求項１のクリーンルーム用天井構造では、建物梁の下方に、吊りボルトを介して長尺状の吊り用鋼材を配置し、この吊り用鋼材に天井パネル吊り用レールの上端を直接固定したので、天井パネル吊り用レールに曲げ等の変形を与えることなく天井パネル吊り用レールを強固，確実に支持することができる。
【００２３】
また、天井パネル吊り用レールのレール本体から突出する突出部を、天井パネルの側面に形成される凹部に、シール材を介して挿入したので、高いシール性を得ながら天井パネルを天井パネル吊り用レールに容易，確実に支持することができる。
請求項３のクリーンルーム用天井構造では、天井パネル吊り用レールのレール本体に形成される傾斜部と天井パネルの下面との間にシール材を充填したので、容易，確実にシール性を向上することができる。
【図面の簡単な説明】
【図１】本発明のクリーンルーム用天井構造の一実施形態を示す断面図である。
【図２】図１のクリーンルーム用天井構造を示す斜視図である。
【図３】図１の天井パネル吊り用レールおよびこの近傍の詳細を示す断面図である。
【図４】従来のクリーンルーム用天井構造を示す斜視図である。
【符号の説明】
２１  建物梁
２３  吊り用鋼材
２５  吊りボルト
２９  天井パネル吊り用レール
２９ａ  レール本体
２９ｂ  突出部
２９ｄ  傾斜部
３５  天井パネル
３５ａ  凹部
３７  シール材
３９  シール材
【図１】
0003713340.tif 000002
【図２】
0003713340.tif 000003
【図３】
0003713340.tif 000004
【図４】
0003713340.tif 000005